(57)【要約】【課題】  高価な磁気検出素子の数を減らすことにより、コストダウンと消費電流を低減できる回転数データ検出方式のエンコーダを提供する。【解決手段】  被測定物の変位量を測定するエンコーダ本体に、被測定物のｎ回転（ｎ＝０を含まない整数）を計数するための回転検出部と、被測定物の変位量を計測する変位量検出部とを有し、前記回転検出部には磁性回転体１の磁気変化を検出する磁気検出部３と、符号板２のスリットを検出する光学検出部４とを有する構成のエンコーダとした。【選択図】図１
2005249571.tif 000002
【特許請求の範囲】
【請求項１】
被測定物の変位量を測定するエンコーダ本体に、
被測定物のｎ回転（ｎ＝０を含まない整数）を計数するための回転検出部と、
被測定物の変位量を計測する変位量検出部とを有し、
前記回転検出部には磁性回転体の磁気変化を検出する磁気検出部と、符号板のスリットを検出する光学検出部とを有するエンコーダ。
【請求項２】
前記回転検出部の磁気検出部と光学検出部とにより位相差２信号が形成される請求項１のエンコーダ。
【請求項３】
前記回転検出部の光学検出部は、変位量検出部の光学検出部と共有されている請求項１または２のエンコーダ。
【請求項４】
前記回転検出部の光学検出部は、変位量検出部の光学検出部を用いている請求項１〜３のいずれかのエンコーダ。
【請求項５】
前記光学検出部は、磁気検出部から検出信号が得られたときに符号板の検出に必要な期間だけ発光素子を駆動し、前記磁気検出部からの検出信号が得られないときには前記発光素子の駆動信号を休止する請求項１〜４のいずれかのエンコーダ。
【発明の詳細な説明】
【技術分野】
【０００１】
本発明はモータ等の回転体や直線移動する被測定物に取り付けられ、被測定物の変位量、すなわち回転数および/または回転角度や、移動位置を検出するエンコーダの、ｎ回転（ｎ＝０を含まない整数）および／または回転方向を測定する多回転検出機構に関する。
【背景技術】
【０００２】
一般に、多回転式エンコーダには、１回転内の変位量を検出するための機構の他に、回転検出機構を備えており、この回転検出機構により、１回転またはｎ回転（ｎ＝０を含まない整数）を計数したり、回転方向を検出することにより、回転方向と回転数および１回転内の絶対位置を検出している。
【０００３】
このような多回転式エンコーダには、主電源OFF時もセンサ信号検出回路及び、回転数カウンタをバッテリにてバックアップし、回転数のカウント動作及び、回転数データを保持可能なものもある。
【０００４】
これらのエンコーダの回転検出機構における回転数データ検出方式は、磁気式及ぴ光学式による検出方式があるが、どちらも符号板に1P／1Rのパターンを形成し、磁気式の場合は磁気センサ(MRセンサなど)、光学式の場合はフォトセンサ(フォトダイオード、フォトトランジスタなど)にて回転数カウント用信号(1A)と方向弁別用信号(1B)を検出し、回転数カウント処理を行っていた。
【０００５】
図７は、従来の磁気式検出方式を示すブロック図である。図において、磁気符号板１１には通常１回転あたり１回の磁気変化が生じるような磁気パターンが形成されている。この磁気符号板１１の磁気パターンは、所定の間隔で配置され、磁気検出素子を備えた１Ａ信号検出回路１３および１Ｂ信号検出回路１４にて読み取られる。この１Ａ信号検出回路１３および１Ｂ信号検出回路１４からは磁気パターンに応じた位相差信号である１Ａ信号、１Ｂ信号が出力され、方向弁別パルス発生回路１６に与えられる。
【０００６】
方向弁別パルス発生回路１６では、１Ａ信号と１Ｂ信号の位相差により回転方向を判別し、信号処理クロック発生回路１９からのクロック信号CLKに同期して、加算パルスUPまたは減算パルスDownをそれぞれ加算パルス出力UP1、減算パルス出力Down1より出力する。このようにして出力された加算パルスUPまたは減算パルスDownは、回転数カウンタ１７の各入力ポートUP2、Down2に入力され、回転方向に応じた回転数（ｎ回転）が計測される。そして、計測された回転数は、出力ポートDataより回転数データとして出力され、図示しない計測装置、制御装置などにより読み込まれて必要な処理がなされる。
【０００７】
このような磁気式回転検出機構と、光学式の回転内検出機構を有するエンコーダとしては、例えば特開平６−３１５９号公報等に開示されたものが知られている。
【０００８】
図８は、従来の光学式検出方式を示すブロック図である。図において、光学式符号板（スリット板）１１ａには通常１回転あたり１回の遮光／透光状態が生じるようなスリットパターンが形成されている。このスリット板１１ａのスリットパターンは、所定の間隔で配置され、光学式検出素子を備えた１Ａ信号検出回路１３ａおよび１Ｂ信号検出回路１４ａにて読み取られる。ここで、前記光学検出素子のスリット板１１ａを挟んで対向する位置には、発光素子LEDが配置され、発光制御回路１８からの駆動信号により駆動され発光する。この発光制御回路１８には、信号処理クロック発生回路１９よりクロックパルスCLKが入力され、これに同期した間欠駆動信号が出力されるようになっている。
【０００９】
そして、前記１Ａ信号検出回路１３ａおよび１Ｂ信号検出回路１４ａからはスリットパターンに応じた位相差信号である１Ａ信号、１Ｂ信号が出力され、方向弁別パルス発生回路１６に与えられる。その他の構成は図７のものとほぼ同様であり、同一構成要素には同一符号を付して説明を省略する。
【００１０】
このような間欠駆動方式を用いたエンコーダとしては、例えば特開平１１−６７４５号公報に記載されたものが知られている。また、バッテリ寿命を延ばす工夫として、特開平１０−７３４５８号公報に記載されているように、多回転検出部のみをバックアップする技術も知られている。
【００１１】
しかし、上記磁気式検出方式の場合、1A、1B信号を検出するための磁気検出素子が少なくとも２個必要で、高価なMRセンサ等を多く必要とすることからコスト削減の大きな障害となっていた。また、磁気検出素子に常時流れる使用数量倍の電流により、消費電流が増大することとなり、バッテリ寿命時間の低下を招くといった問題があった。
【００１２】
また、上記光学式の場合には、スリットの検出のために発光素子LEDに常時電流を流す必要があるが、上記のように発光素子LEDをある一定時間だけ点灯する間欠点灯等により消費電流を減らす工夫をしている。しかし、間欠点灯の点灯周期を長<して消費電流を減らすと、バッテリ寿命時間は長くなるが検出回路の応答速度が下がり、使用可能な被測定物の回転速度に大きな制約を生じてしまう。一方、間欠点灯の点灯周期を短くすると、応答速度を上げることはできるが消費電流が大きくなり、バッテリ寿命時間が短くなるという問題があった。
【特許文献１】特開平６−３１５９号公報
【特許文献２】特開平１１−６７４５号公報
【特許文献１】特開平１０−７３４５８号公報
【発明の開示】
【発明が解決しようとする課題】
【００１３】
本発明の目的は、高価な磁気検出素子の数を減らすことにより、コストダウンと消費電流を低減できる回転数データ検出方式のエンコーダを提供することである。
【００１４】
また、さらなる消費電流の抑制が可能なエンコーダを提供することである。
【課題を解決するための手段】
【００１５】
すなわち、上記目的は以下の本発明の構成により達成される。
（１）  被測定物の変位量を測定するエンコーダ本体に、
被測定物のｎ回転（ｎ＝０を含まない整数）を計数するための回転検出部と、
被測定物の変位量を計測する変位量検出部とを有し、
前記回転検出部には磁性回転体の磁気変化を検出する磁気検出部と、符号板のスリットを検出する光学検出部とを有するエンコーダ。
（２）  前記回転検出部の磁気検出部と光学検出部とにより位相差２信号が形成される上記（１）のエンコーダ。
（３）  前記回転検出部の光学検出部は、変位量検出部の光学検出部と共有されている上記（１）または（２）のエンコーダ。
（４）  前記回転検出部の光学検出部は、変位量検出部の光学検出部を用いている上記（１）〜（３）のいずれかのエンコーダ。
（５）  前記光学検出部は、磁気検出部から検出信号が得られたときに符号板の検出に必要な期間だけ発光素子を駆動し、前記磁気検出部からの検出信号が得られないときには前記発光素子の駆動信号を休止する上記（１）〜（４）のいずれかのエンコーダ。
【発明の効果】
【００１６】
本発明により、高価な磁気検出素子の数量を減らすことができ、コストダウンが可能となると共に、常時流れる電流が減少するためバッテリの寿命時間を長くすることができる。
【００１７】
また、光学式検出部の駆動方式を最適化することで、より消費電流を抑制でき、バッテリ寿命時間を飛躍的に延ばすことができる。
【発明を実施するための最良の形態】
【００１８】
本発明のエンコーダは、被測定物の変位量を測定するエンコーダ本体に、被測定物のｎ回転（ｎ＝０を含まない整数）を計数するための回転検出部と、被測定物の変位量を計測する変位量検出部とを有し、前記回転検出部には磁性回転体の磁気変化を検出する磁気検出部と、符号板のスリットを検出する光学検出部とを有するものである。
【００１９】
このように、回転検出部に磁気検出部と光学検出部とを備えたことにより、磁気検出素子の数を減らすことが可能となり、消費電流も削減できる。
【００２０】
また、好ましくは磁気検出部は回転数カウント用信号１Ａ（以下１Ａ信号）を生じ、光学検出部は方向弁別信号１Ｂ（以下１Ｂ信号）を生じ、これらは位相差２信号となる。このため、例えば１Ａ信号が入力されるまでは１Ｂ信号検出用の発光素子駆動信号を休止して消費電流を抑制したり、１Ｂ信号を被測定物の変位量を計測する変位量検出部から得ることも可能となる。このため、さらに消費電流を抑制することも可能であり、光学系を共有することによるコスト削減効果や、小型化、薄型化への対応も期待できる。
【００２１】
エンコーダ本体は、通常被測定物の変位量、具体的には回転量などを測定するために必要な符号板（スリット板）、およびこの符号板の符号（スリット）を検出するために必要な光学素子等を備えた変位量検出部と、１回転またはｎ回転（ｎ＝０を含まない整数）や回転方向を検出するための磁性部材、およびこの磁性部材の磁気変化を検出する磁気検出素子や符号板、光学素子等を備えた回転検出部と、必要により各素子から得られた信号を処理するための電気回路等を備えるものであり、エンコーダの基本的な構造部分である。また、被測定物とは、通常モータや内燃機関、およびこれらに接続されて回転動作を伝達したり、従動する回転機構等をいう。
【００２２】
変位量検出部は、通常１回転以内の被測定物の変位量（回転量、回転角）を計測するものであり、１回転内の微少な変位量を検出するエンコーダの精度を規定する部位である。この変位量測定部は、磁気パターンが形成された磁気式符号板と磁気センサとの組み合わせによる磁気式検出方式を用いても、スリットパターンが形成された光学式符号板と光学センサとを備えた光学式検出方式を用いてもよい。しかしながら、後述する実施例に記載されるように、回転検出部と光学系を共有することを可能にするためには光学式を用いることが推奨される。
【００２３】
回転検出部は、通常１回転以上の回転数と回転方向とを検出するが、計数する回転数は１回転に限定されるものではなく、１／３，１／２回転や、２回転などｎ回転（ｎ＝０を含まない整数）を計測してもよい。計測する回転ｎはエンコーダの仕様等により任意に決めることができる。
【００２４】
回転検出部の磁気検出部は、従来このような目的に用いられていた磁気検出方式の装置、素子、回路を応用することにより構成することができる。具体的には、１回転以内に１または２以上の磁界の変化を生じる磁気パターンを有する磁性回転体（磁気式符号板）と、この磁性回転体の磁気変化を検出するための磁気検出素子、必要によりバイアス磁界を与えるバイアス磁石等により構成される。同様に、光学検出部は、従来のエンコーダに用いられていた光学検出方式の装置、素子、回路を応用することにより構成することができる。具体的には、１回転以内に１または２以上の遮光／透光パターンを生じるスリットを有する符号板（光学式符号板）と、この符号板のスリットを検出するための光学検出素子、発光素子等により構成される。
【００２５】
また、光学検出部は上記変位量検出部の光学検出部と一体となって、共有されてもよい。これにより、回路、部品の共有化によるコストダウンと省スペースおよび消費電流の削減を図ることができる。
【００２６】
磁気検出部と光学検出部とは、２つ１組で１つの回転検出部として機能する。これら磁気検出部と光学検出部とからは、好ましくは位相差２信号が出力され、回転計数信号（１Ａ信号）と、回転方向弁別信号（１Ｂ信号）として用いられる。
【００２７】
また、好ましくは磁気検出部からの検出信号を回転計数信号（１Ａ信号）として、回転方向弁別信号（１Ｂ信号）の検出に際して光学検出部を制御してもよい。すなわち、回転方向弁別信号（１Ｂ信号）は、回転計数信号（１Ａ信号）が検出されるまでは検出する必要がない。このため、消費電流の比較的少ない磁気検出素子を用いた磁気検出部を常時動作させておき、回転計数信号（１Ａ信号）が検出された時点で光学検出部を動作させて回転方向弁別信号（１Ｂ信号）を検出するとよい。このように、必要なときにだけ光学検出部を動作させることで、消費電流を格段に少なくすることができる。
【００２８】
磁気検出素子とは、磁性回転体の磁極、あるいは磁気の変化を検出するものであり、通常磁気検出素子として知られているＭＲ素子（磁気抵抗素子）が用いられるが、これと同等な機能を有するホール素子等の磁気検出素子を用いることも可能である。
【００２９】
同様に、光学検出部に用いられる発光素子、受光素子は、一般に用いられているＬＥＤ（発光ダイオード）、光ダイオード、光トランジスタ等のフォトセンサを用いることができるが、これ以外のレーザーダイオード、エレクトロルミネッセンス等の発光素子や、感光性の半導体素子等を用いることもできる。さらに、発光素子と受光素子とを組み合わせたような素子、例えばフォトインタラプタ、フォトリフレクタ等を用いてもよい。
【実施例１】
【００３０】
次に、図を参照しつつ本発明のより具体的な実施例について説明する。図１は本発明の第1の検出方式を示すブロック構成図である。この例では、回転数カウント用信号(1A)検出回路を磁気式(MRセンサ)にて構成し、方向弁別信号(1B)検出回路を光学式(フォトセンサ)により構成している。また、特に消費電流の抑制が必要とされる、バッテリバックアップ時の動作を中心にして説明する。
【００３１】
図において、磁気式符号板１には１回転中にＮ／Ｓの磁極が反転するような磁気パターンが形成されている。一方、光学式符号板２には、１回転中に遮光と透光パターンが１回ずつ出現するようなスリットパターンが形成されている。これらの各パターンや、磁気式符号板１および光学式符号板２の位置関係は、得ようとする位相差信号の位相関係などから最適なものに調整されている。
【００３２】
１Ａ信号検出回路３は、前記磁気式符号板１の磁気パターン検出のための磁気検出素子と、これを駆動して１Ａ信号を取り出すための回路等を有する。そして、１Ａ信号を出力する出力ポート１Ａ１は、データラッチ回路５の入力ポート１Ａ２に接続されている。一方、１Ｂ信号検出回路４は、前記光学式符号板２のスリットパターン検出のための光学素子（受光素子）と、これを駆動し、１Ｂ信号を得るための回路を備えている。そして、１Ｂ信号を出力する出力ポート１Ｂ１は、データラッチ回路５の入力ポート１Ｂ２に接続されている。
【００３３】
データラッチ回路５は、発光制御回路８で好ましい態様として、磁気検出回路の動作に応じて光学スリット検出に必要な期間など所定期間駆動される発光素子ＬＥＤの動作に同期して、１Ａ信号検出回路３および１Ｂ信号検出回路４の出力をラッチする。このため、ラッチ信号入力ポートＬＡＴは、発光制御回路のラッチ信号出力ポートＬＡＴと接続されている。また、入力ポート１Ａ２，１Ｂ２に対応した出力ポート１Ａ３，１Ｂ３は、それぞれ方向弁別パルス発生回路６の入力ポート１Ａ４，１Ｂ４に接続されている。データラッチ回路５は、一般的なデータラッチ機能を有する素子、回路等により構成することができる。
【００３４】
発光制御回路８は、その出力ポートＬｏｎに接続された発光素子ＬＥＤを駆動するために必要な回路を備え、さらに駆動信号に同期したラッチ信号を出力すると共に、外部からの駆動許可信号が入力可能な入力ポートＯＮを備え、外部から駆動信号の許可、禁止を制御できるようになっている。また、駆動信号は好ましくは所定期間のみ駆動が可能なようなパルス信号が出力される。発光制御回路８は、駆動するＬＥＤ等の発光素子に十分な駆動電流を供給できるドライバー素子や、所定の時間間隔で信号を発生する発振回路、および各種ゲート素子等を組み合わせることで構成することができる。また、発光制御回路８は、信号処理クロックに対して、非同期、同期どちらでも処理可能なため、前記発信回路は信号処理クロック１０からのクロック信号を使用してもよい。
【００３５】
方向弁別パルス発生回路６は、データラッチ回路５から入力された１Ａ、１Ｂ信号を、信号処理クロック発生回路１０から与えられたクロック信号CLKに同期して処理して、加算カウント信号UPあるいは減算カウント信号Downを生成する。そして、この何れかを出力ポートUP1，またはDown1から出力する。方向弁別パルス発生回路６の出力ポートUP1，Down1は、それぞれ回転数カウンタ７の入力ポートUP2，Down2に接続されている。従って、方向弁別パルス発生回路６からの加算カウント信号UPあるいは減算カウント信号Downは、この回転数カウンタに入力され、内部データをアップカウント（インクリメント）またはダウンカウント（デクリメント）する。そして、回転方向に応じた回転数（ｎ回転）が計測される。計測された回転数は、出力ポートDataより回転数データとして出力され、図示しない計測装置、制御装置などにより読み込まれて必要な処理がなされる。
【００３６】
また、本発明の好ましい態様では、１Ａ信号検出回路３の出力ポート１Ａ１と信号変化検出回路９の入力ポート１Ａ５とが接続され、１Ａ信号の変化を検出している。そして、信号変化検出回路９の出力ポートＯＮは、前記発光制御回路８の入力ポートＯＮと接続されていて、信号変化検出回路９の出力信号ＯＮにより、発光制御回路の出力Lonを禁止／許可できるようになっている。
【００３７】
このときの動作を図５のタイミングチャートに示す。なお、図中カッコ内に示される数字は図１の符号に対応したものである。図５および図１において、磁気式符号板１，光学式符号板２のパターンがエンコーダの回転動作、すなわち反時計回りＣＣＷ→時計回りＣＷ→反時計回りＣＣＷにより変化する。このとき、１Ａ１（１Ａ２，１Ａ５）の１Ａ信号は、前記磁気式符号板１のパターンに応じて変化する。１Ａ５に１Ａ信号の変化が検出されると、発光制御回路８を許可にするＯＮ信号が出力される。これを受けて発光制御回路８では、駆動信号Lonを１Ｂ信号が検出可能な駆動時間t3以上のみ出力して発光素子を駆動すると共に、これと同期したラッチ信号信号ＬＡＴを出力する。この駆動時間t3は、エンコーダの最高検出速度（最高回転速度）において、光学式符号板２のスリットが検出可能な時間に設定される。また、それ以外の時間は発光制御回路８では、駆動信号Lonの出力を休止している。
【００３８】
発光素子ＬＥＤが駆動信号Lonにより駆動されると、それと同期して１Ｂ信号が検出される。このとき、１Ｂ１に現れる１Ｂ信号は、時間t0および時間t1の遅れを持って現れる。なお、その他の信号の遅延時間は無視することとする。そして、前記ラッチ信号ＬＡＴの立ち上がりエッジにより、１Ａ１，１Ｂ１に現れた１Ａ信号と１Ｂ信号とがラッチされ、１Ａ３（１Ａ４），１Ｂ３（１Ｂ４）に現れる。そして、方向弁別パルス発生回路では、１Ａ３の信号と、１Ｂ３の信号のＨ／Ｌと変化点をクロックパルスCLKに同期して比較し、その状態により回転方向と、カウントが必要な状態か否かを判断して、必要に応じてアップカウントパルスUPをポートUP1から出力するか、ダウンカウントパルスDownをポートDown1より出力する。これにより、回転データDataは回転方向に応じてダウンカウントまたはアップカウントされる。つまり、カウント状態であれば、Up1信号または、Down1信号を回転数カウンタに送り、回転数カウンタの値を更新し、非カウント状態であれば、Up1信号及び、Down1信号を出力せずに、回転数カウンタの値を保持する。
【００３９】
以上バックアップ電源での動作を説明したが、主電源ON状態では、電源の供給源がバッテリではなくなるため、バックアップ時と同じ動作としてもよいが、発光素子LEDを常時点灯させ方向弁別信号(1B)信号を常時検出できるよう動作状態を切り替えてもよい。また、データラッチ回路５は、必ずしも必要ではなく、場合によっては省略してもよい。
【実施例２】
【００４０】
図２は本発明の第２の検出方式を示すブロック構成図である。この例では、回転数カウント用信号(1A)検出回路３を図１同様磁気式(MRセンサ)にて構成し、方向弁別信号(1B)検出回路４ａを、１回転アブソリュートデータ検出回路により構成している。また、特に消費電流の抑制が必要とされる、バッテリバックアップ時の動作を中心にして説明する。
【００４１】
図において、１Ｂ信号検出回路は、変位量検出部における光学検出部により構成されている。つまり、１回転アブソリュートデータ検出回路４ａにより構成されている。また、発光制御回路８に替えて１回転データ制御回路８ａが用いられる。この１回転データ制御回路８ａの制御入力ポートＯＮおよび出力ポートLonならびにラッチ信号出力ポートＬＡＴの接続は図１の発光制御回路８と同様である。そして、さらにLon信号と同期したPon信号を出力する出力ポートPonが、１Ｂ信号検出回路４ａの制御入力ポートPonと接続されている。その他の構成は図１と同様であり、同一構成要素には同一符号を付して説明を省略する。
【００４２】
図１，５の場合と同様に、エンコーダの軸が回転することにより各符号板が移動し、１Ａ信号検出回路３が符号板の磁界を検出し、回転数カウント用信号(1A)が変化すると、信号変化検出回路９が1A1信号の変化を検出し、1回転データコントロール回路８ａを動作させ、1回転アブソリュートデータが検出可能な時間t3以上発光素子LEDおよび１回転アブソリュートセンサ回路を動作させる駆動信号Lonおよび制御信号Ponを出力する。これにより、１回転アブソリュート信号から変換した方向弁別信号1B1の状態が検出される。
【００４３】
1A1信号と1B1信号の状態の確認が終了すると、方向弁別パルス発生回路６により、回転方向及び、カウント状態が判断され、カウント状態であれば、回転方向によりUp1信号または、Down1信号を回転数カウンタに送り、回転数カウンタの値を更新し、非カウント状態であれば、Up1信号および、Down1信号を出力せずに、回転数カウンタの値を保持する。
【００４４】
以上バックアップ電源での動作を説明したが、主電源ON状態では、方向弁別信号(1B)を１回転アブソリュートデータより生成しているため、発光素子LEDおよび１回転アブソリュートセンサ回路を常時動作状態に切り替えるとよい。また、方向弁別信号1B1を生成することなく、１回転アブソリュートデータのデータ値により処理してもよい。
【実施例３】
【００４５】
図３は本発明の第３の実施例を示すブロック構成図である。この例では、図１の構成中、信号処理クロック回路１０に動作制御用入力ポートONを設け、このポートONと信号変化検出回路９の出力ポートＯＮとを接続している。このように、信号変化検出回路９の出力ポートＯＮと信号処理クロック回路１０の動作制御用入力ポートONを接続することで、信号変化検出回路９から出力されるON信号により信号処理クロック回路１０を動作させている。つまり、回転数カウント用信号(1A)の変化を検出後から回転数データカウント処理が終了するまでの間、信号処理クロックを動作させることができる。
【００４６】
このときの動作を図６のタイミングチャートに示す。図６において、クロック信号CLKは、ON信号を検出して期間t3より長い一定期間生じた後、停止している。このように、信号処理クロック回路１０を必要なときだけ動作させることで、より消費電流を少なくすることができる。その他の構成は、図１，５と同様であり、同一構成要素には同一符号を付して説明を省略する。
【実施例４】
【００４７】
図４は本発明の第４の実施例を示すブロック構成図である。この例では、図３の場合と同様に、図２の構成中、信号処理クロック回路１０に動作制御用入力ポートONを設け、このポートONと信号変化検出回路９の出力ポートＯＮとを接続している。その他の構成は、図２，３，６と同様であり、同一構成要素には同一符号を付して説明を省略する。
【００４８】
以上、本発明の実施態様として幾つかの実施例を挙げて説明したが、本発明はこれらの実施例に限定されるものではなく、本発明の趣旨を逸脱しない範囲で種々の変更、応用が可能である。例えば、発光素子LEDは間欠駆動させてもよい。
【産業上の利用可能性】
【００４９】
本発明は、ロボット、自動機等の産業用機器や自動車、飛行機などの移動体等、あらゆる可動部の位置検出に用いられるエンコーダに応用することが可能である。特に、多回転型絶対値エンコーダにおいて有用な技術であるが、それ以外でも磁気式エンコーダ等に応用することができる。
【図面の簡単な説明】
【００５０】
【図１】本発明エンコーダの第１の実施例を示すブロック構成図である。
【図２】本発明エンコーダの第２の実施例を示すブロック構成図である。
【図３】本発明エンコーダの第３の実施例を示すブロック構成図である。
【図４】本発明エンコーダの第４の実施例を示すブロック構成図である。
【図５】図１，２の構成の装置の動作を示すタイミングチャートである。
【図６】図３，４の構成の装置の動作を示すタイミングチャートである。
【図７】従来の磁気式エンコーダの構成を示すブロック図である。
【図８】従来の光学式エンコーダの構成を示すブロック図である。
【符号の説明】
【００５１】
１    磁気式符号板
２    光学式符号板
３    １Ａ信号検出回路
４    １Ｂ信号検出回路
５    データラッチ回路
６    方向弁別パルス発生回路
７    回転数カウンタ
８    発光制御回路
９    信号変化検出回路
１０    信号処理クロック発生回路
１１    磁気式符号板
１３    １Ａ信号検出回路
１４    １Ｂ信号検出回路
１６    方向弁別パルス発生回路
１７    回転数カウンタ
１９    信号処理クロック発生回路
【図１】
2005249571.tif 000003
【図２】
2005249571.tif 000004
【図３】
2005249571.tif 000005
【図４】
2005249571.tif 000006
【図５】
2005249571.tif 000007
【図６】
2005249571.tif 000008
【図７】
2005249571.tif 000009
【図８】
2005249571.tif 000010